(57)【要約】【課題】利便性を向上させることができる頭部装着型情報入出力装置を提供する。【解決手段】頭部装着型情報入出力装置は、画像を表示する表示部と、音声信号を出力する信号処理部と、信号処理部から出力された音声信号を送信する送信部と、を有するディスプレイ本体２０と、送信部から送信された音声信号を受信する受信部と、ディスプレイ本体２０を着脱可能に支持するホルダー４２と、ホルダー４２にディスプレイ本体２０が支持されている場合、ユーザーの頭部の近傍に配置され、受信部に受信された音声信号に基づいて音声を出力する第１骨伝導スピーカー５０及び５１と、を有するヘッドバンド４０とを備える。【選択図】図２
2013239767.tif 000002
【特許請求の範囲】
【請求項１】
画像を表示する表示部と、
音声信号を出力する信号処理部と、
前記信号処理部から出力された前記音声信号を送信する送信部と、
を有する装置本体と、
前記送信部から送信された前記音声信号を受信する受信部と、
前記装置本体を着脱可能に支持する支持部と、
前記支持部に前記装置本体が支持されている場合、ユーザーの頭部の近傍に配置され、前記受信部に受信された前記音声信号に基づいて音声を出力する第１スピーカーと、
を有するヘッドバンドと、
を備えることを特徴とする頭部装着型情報入出力装置。
【請求項２】
前記送信部は、光又は電波により前記音声信号を送信することを特徴とする請求項１に記載の頭部装着型情報入出力装置。
【請求項３】
前記装置本体は、第２スピーカーを有し、
前記第２スピーカーは、前記支持部に前記装置本体が支持されていない場合、前記信号処理部から出力された前記音声信号に基づいて音声を出力することを特徴とする請求項１又は請求項２に記載の頭部装着型情報入出力装置。
【請求項４】
前記ヘッドバンドは、電源部を有し、
前記電源部は、前記支持部に前記装置本体が支持されているか否かに応じて、前記ヘッドバンドに電力を供給することを特徴とする請求項１から請求項３のいずれか一項に記載の頭部装着型情報入出力装置。
【請求項５】
前記支持部は、前記装置本体を所定方向に移動可能に支持することを特徴とする請求項１から請求項４のいずれか一項に記載の頭部装着型情報入出力装置。
【請求項６】
前記第１スピーカーは、前記ユーザーの頭部に当接する骨伝導スピーカーであることを特徴とする請求項１から請求項５のいずれか一項に記載の頭部装着型情報入出力装置。
【請求項７】
前記支持部は、向きが反転された前記装置本体を支持することを特徴とする請求項１から請求項６のいずれか一項に記載の頭部装着型情報入出力装置。
【請求項８】
前記第１スピーカーは、前記支持部に支持された前記装置本体の向きに応じて、前記音声の出力チャンネルを切り替えることを特徴とする請求項７に記載の頭部装着型情報入出力装置。
【請求項９】
前記装置本体は、前記ユーザーの頭部の近傍に前記装置本体が配置されているか否かを検出する検出部を有し、
前記第２スピーカーは、前記支持部に前記装置本体が支持されておらず、且つ、前記ユーザーの頭部の近傍に前記装置本体が配置されていることを前記検出部が検出した場合、音声を出力することを特徴とする請求項３から請求項８のいずれか一項に記載の頭部装着型情報入出力装置。
【請求項１０】
前記装置本体は、振動部を有し、
前記振動部は、前記第１スピーカー及び前記第２スピーカーのいずれからも音声が出力されない場合、振動することを特徴とする請求項９に記載の頭部装着型情報入出力装置。
【発明の詳細な説明】
【技術分野】
【０００１】
本発明は、頭部装着型情報入出力装置に関する。
【背景技術】
【０００２】
映像を表示するヘッドマウントディスプレイ（Ｈｅａｄ Ｍｏｕｎｔｅｄ Ｄｉｓｐｌａｙ：ＨＭＤ）が、特許文献１に開示されている。
【先行技術文献】
【特許文献】
【０００３】
【特許文献１】特開２００８−６０８２５号公報
【発明の概要】
【発明が解決しようとする課題】
【０００４】
しかしながら、頭部装着型情報入出力装置（ヘッドマウントディスプレイ）は、ヘッドバンドと装置本体とが一体となっているため大型であり、持ち歩く際に不便であるなど、利便性が低いという問題がある。
【０００５】
本発明は、前記の点に鑑みてなされたものであり、利便性を向上させることができる頭部装着型情報入出力装置を提供することを目的とする。
【課題を解決するための手段】
【０００６】
本発明は、上記の課題を解決するためになされたものであり、画像を表示する表示部と、音声信号を出力する信号処理部と、前記信号処理部から出力された前記音声信号を送信する送信部と、を有する装置本体と、前記送信部から送信された前記音声信号を受信する受信部と、前記装置本体を着脱可能に支持する支持部と、前記支持部に前記装置本体が支持されている場合、ユーザーの頭部の近傍に配置され、前記受信部に受信された前記音声信号に基づいて音声を出力する第１スピーカーと、を有するヘッドバンドと、を備えることを特徴とする頭部装着型情報入出力装置である。
【発明の効果】
【０００７】
本発明によれば、頭部装着型情報入出力装置は、利便性を向上させることができる。
【図面の簡単な説明】
【０００８】
【図１】本発明の第１実施形態における、ヘッドマウントディスプレイの斜視図である。
【図２】本発明の第１実施形態における、ヘッドマウントディスプレイを背面側から見た斜視図である。
【図３】本発明の第１実施形態における、ヘッドマウントディスプレイの装着形態を示す図である。
【図４】本発明の第１実施形態における、ディスプレイ本体の水平断面図である。
【図５】本発明の第１実施形態における、ヘッドバンドの斜視図である。
【図６】本発明の第１実施形態における、ディスプレイ本体がユーザーの右側に装着される場合のヘッドバンド及び装置本体部の垂直断面図である。
【図７】本発明の第１実施形態における、ステレオイヤホンを示す斜視図である。
【図８】本発明の第１実施形態における、ヘッドマウントディスプレイの構成を示す機能ブロック図である。
【図９】本発明の第１実施形態における、ヘッドバンドの構成を示す機能ブロック図である。
【図１０】本発明の第１実施形態における、音声出力先の切り替え処理を示すフローチャートである。
【図１１】本発明の第２実施形態における、ヘッドバンドの構成を示す機能ブロック図である。
【図１２】本発明の第２実施形態における、ディスプレイ本体とヘッドバンドとの通信処理を示すフローチャートである。
【発明を実施するための形態】
【０００９】
［第１実施形態］
本発明の第１実施形態について図面を参照して詳細に説明する。以下の説明においては、ＸＹＺ直交座標系を必要に応じて設定し、設定したＸＹＺ直交座標系を参照しつつ、各部の位置関係について説明する。
【００１０】
以下では、水平面内の所定方向をＸ軸方向と称し、水平面内においてＸ軸方向と直交する方向をＹ軸方向と称し、Ｘ軸方向及びＹ軸方向と直交する鉛直方向をＺ軸方向と称する。また、Ｘ軸、Ｙ軸、及びＺ軸まわりの回転（傾斜）方向をそれぞれ、θＸ、θＹ、及びθＺ方向と称する。
【００１１】
図１は、ヘッドマウントディスプレイ（頭部装着型情報入出力装置、表示装置）の斜視図である。図１では、ディスプレイ本体２０の長手方向をＹ軸方向と称し、ヘッドバンド４０がユーザーの頭部を挟持する方向をＸ軸方向と称する。
【００１２】
まず、ヘッドマウントディスプレイ１の各部の構成について説明する。
ヘッドマウントディスプレイ１は、単眼式のヘッドマウントディスプレイであり、ユーザーの頭部に装着される。ヘッドマウントディスプレイ１は、ディスプレイ本体２０と、ヘッドバンド４０（装着部）とを備える。
【００１３】
ヘッドバンド４０は、ホルダー４２を有する。ホルダー４２は、ディスプレイ本体２０を着脱可能に支持する。
ディスプレイ本体２０は、装置本体部２１と、表示部６０とを有する。装置本体部２１は、主要回路を内蔵するとともに、操作部及び各種インターフェースを有する。
【００１４】
以下では、装置本体部２１においてホルダー４２により支持される側の端部（＋Ｙ側の端部）を基端部と称し、この基端部に対して反対側の端部（−Ｙ側の端部）を先端部と称する。また、ヘッドバンド４０に装置本体部２１が支持されている状態において、装置本体部２１のヘッドバンド４０側（＋Ｘ側）を内側と称し、ヘッドバンド４０に対して反対側（−Ｘ側）を外側と称する。
【００１５】
表示部６０は、装置本体部２１の先端部に連結される。
装置本体部２１は、概略板状の筐体を有する。装置本体部２１の筐体の外面には、メインスイッチ２８と、タッチスイッチ３４と、集音マイク２４とが、装置本体部２１の長手方向に沿って配置されている。
【００１６】
メインスイッチ２８は、ディスプレイ本体２０の電源のオンオフ操作を行うスイッチである。また、タッチスイッチ３４は、ユーザーが手指等で触れることにより、ヘッドマウントディスプレイ１の各種操作を行うことができるタッチパネルである。また、集音マイク２４は、環境音を集め、収音する外部マイクである。
【００１７】
図２は、ヘッドマウントディスプレイを背面側から見た斜視図である。図２では、ディスプレイ本体２０の長手方向をＹ軸方向と称し、ヘッドバンド４０がユーザーの頭部を挟持する方向をＸ軸方向と称する。
【００１８】
耳元スピーカー２３は、音声を出力する。耳元スピーカー２３は、装置本体部２１の基端部の内側に設けられている。耳元スピーカー２３は、ディスプレイ本体２０がホルダー４２に支持されている場合、ユーザーの耳の近傍に配置される。
通話マイク３７は、装置本体部２１の先端部の内側に設けられている。通話マイク３７は、ユーザーの音声を収音する。
【００１９】
心拍数センサー１３７は、発光部と、受光部とを有する。心拍数センサー１３７の発光部は、例えば、発光ダイオードである。また、心拍数センサー１３７の受光部は、ユーザーの皮膚の内部で反射された光を検知する。心拍数センサー１３７は、装置本体部２１内面の中央部に設けられ、ユーザーの顔の表面に接触することで、ユーザーの心拍数を測定する。より具体的には、心拍数センサー１３７は、ユーザーの顔の血流の変化による反射光量の変化を検出することで、そのユーザーの心拍数を測定する。
【００２０】
心拍数センサー１３７は、ディスプレイ本体２０がホルダー４２に支持されている場合、ユーザーの眼の近傍に配置されることがある。この場合でも、心拍数センサー１３７は、その発光部から赤外域の光を射出させることにより、ユーザーにまぶしさを感じさせることなく、ユーザーの心拍数をカウントすることができる。
【００２１】
ＵＳＢコネクター２５は、装置本体部２１の基端部の側端面に設けられる。ＵＳＢコネクター２５は、ＵＳＢ（Ｕｎｉｖｅｒｓａｌ Ｓｅｒｉａｌ Ｂｕｓ）デバイスの接続端子である。
ビデオコネクター２７は、映像入出力端子である。ビデオコネクター２７は、装置本体部２１の基端部の側端面に設けられる。
【００２２】
操作スイッチ３０（操作部）は、例えば、トラックボール及びスティックなどのポインティングデバイスである。操作スイッチ３０は、装置本体部２１の基端部の側端面、すなわち、表示部６０の画面に正対する位置に設けられる。これにより、操作スイッチ３０を介した操作の左右方向と、表示部６０の画面の左右方向とが一致するので、ユーザーは、画面を見ながら、操作スイッチ３０を直感的に操作することができる。
【００２３】
導光板３０４の近傍には、光通信を実行するための第１発光部が備えられている。導光板３０４は、第１発光部と、ヘッドバンド４０側の受光部との光通信を中継する。導光板３０４は、装置本体部２１の内面の基端部側に設けられる。なお、導光板３０４の近傍には、第１受光部が更に備えられてもよい。この場合、ヘッドバンド４０には、第１受光部と光通信を実行する発光部が備えられてもよい。
【００２４】
導光板３０５の近傍には、光通信を実行するための第２発光部が備えられている。導光板３０５は、第２発光部と、ヘッドバンド４０側の受光部との光通信を中継する。導光板３０５は、装置本体部２１の内面の基端部側に設けられる。なお、導光板３０５の近傍には、第２受光部が更に備えられてもよい。この場合、ヘッドバンド４０には、第２受光部と光通信を実行する発光部が備えられてもよい。
【００２５】
ヘッドバンド４０は、ホルダー４２に支持されたディスプレイ本体２０を、ユーザーの頭部に装着させることができる。また、ユーザーは、ホルダー４２に支持されていないディスプレイ本体２０を、手に持った状態でも使用することができる。つまり、ユーザーは、ディスプレイ本体２０をヘッドバンド４０から必要に応じて外すことで、ディスプレイ本体２０を、小型軽量な状態で可搬することができる。
【００２６】
ヘッドバンド４０は、ヘッドパット（装着部材）４６と、ヘッドパット（装着部材）４７と、第１ヘッドバンド４３と、第２ヘッドバンド４４と、回動機構５６と、回動機構５７とを有する。
【００２７】
ヘッドバンド４０は、ユーザーの頭部を挟持することができる。これにより、第１骨伝導スピーカー５０及び第２骨伝導スピーカー５１は、ユーザーの左右の「こめかみ部分」にそれぞれ当接し、押圧されるようになっている。この当接位置は、骨伝導による音声を伝えるうえで、ユーザーにとって好ましい位置となっている。
【００２８】
第１ヘッドバンド４３は、全体として円弧状を成す弾性部材である。第１ヘッドバンド４３の頂部には、第１ヘッドバンド４３を折り曲げるためのジョイント部４３ａが設けられている。また、第１ヘッドバンド４３の一端には、回動機構５６を構成する軸受部４３ｂが設けられている。また、第１ヘッドバンド４３の他端には、回動機構５７を構成する軸受部４３ｃが設けられている。
【００２９】
軸受部４３ｂよりも更にバンド先端側には、ヘッドパット４６が接続される軸受部４３ｄが設けられている。また、軸受部４３ｃよりも更にバンド先端側には、ヘッドパット４７が接続される軸受部４３ｅが設けられている。
【００３０】
第２ヘッドバンド４４は、全体として円弧状を成す弾性部材である。第２ヘッドバンド４４の頂部には、第２ヘッドバンド４４を折り曲げるためのジョイント部４４ａが設けられている。また、第２ヘッドバンド４４の一端には、回動機構５６を構成する軸部材４４ｂが設けられている。また、第２ヘッドバンド４４の他端には、回動機構５７を構成する軸部材４４ｃが設けられている。
【００３１】
また、第２ヘッドバンド４４は、ステンレス等の金属からなるバネ部材４８の表面が、樹脂等の柔軟な材料により被覆された構成を有する。ユーザーの頭部を挟持するバネ力は、第２ヘッドバンド４４のバネ部材４８により発生する。また、第２ヘッドバンド４４は、第１ヘッドバンド４３と比較して、広い幅に形成されている。これにより、ジョイント部４４ａの形成部分は、他のバンド部分よりも更に広く形成された標章表示部４９を有している。標章表示部４９には、シールや印刷による製品タグ等が付される。なお、第２ヘッドバンド４４の全体は、金属で形成されていてもよい。
【００３２】
ヘッドパット４６は、板状の支持板４６ａと、弾性部材４６ｂとを有する。弾性部材４６ｂは、支持板４６ａの一面側に設けられ、断面アーチ状で比較的硬度の高い弾性部材で構成されている。また、ヘッドバンド４０の一端には、ヘッドパッド４６が設けられている。ヘッドパッド４６は、第１骨伝導スピーカー５０を内蔵する。一方、ヘッドバンド４０の他端には、ヘッドパッド４７が設けられている。ヘッドパッド４７は、第２骨伝導スピーカー５１を内蔵する。
【００３３】
図３は、ヘッドマウントディスプレイの装着形態を示す図である。ディスプレイ本体２０は、ヘッドバンド４０により、ユーザーの頭部に装着される。ディスプレイ本体２０の向きが反転されても、ホルダー４２がディスプレイ本体２０を支持することができるので、ヘッドマウントディスプレイ１は、ユーザーの頭部の左右どちらにディスプレイ本体２０が装着されても使用可能である。ここで、ディスプレイ本体２０は、ユーザーの眼の具合、及び顔の形状などに応じて、装着状態を調整可能である。
【００３４】
図３（Ａ）には、ユーザーが右眼（右目）で表示部６０を見ている状態が示されている。一方、図３（Ｂ）には、ユーザーが左眼（左目）で表示部６０を見ている状態が示されている。ユーザーが右眼で表示部６０を見ている状態と、ユーザーが左眼で表示部６０を見ている状態とでは、ホルダー４２に支持される装置本体部２１の向きは、反転されている。
【００３５】
また、図３（Ａ）に示されている状態と比較して、図３（Ｂ）では、ディスプレイ本体２０のより基端部側に、ホルダー４２の支持位置がある。つまり、図３（Ｂ）では、図３（Ａ）に示されている状態と比較して、ディスプレイ本体２０は、ユーザーの顔の前方にずれている。
【００３６】
図４は、ディスプレイ本体２０の水平断面図である。図４では、表示部６０のヘッドバンド４０側を内側と称し、ヘッドバンド４０とは反対側を外側と称する。装置本体部２１には、筐体２１Ａの長手方向に沿って延びる板状の回路基板２９と、バッテリー３３とが内蔵されている。また、回路基板２９には、制御回路（不図示）と、電源回路等（不図示）とが実装されている。また、ディスプレイ本体２０の各部は、配線（不図示）を介して電気的に接続されている。
【００３７】
タッチスイッチ３４は、装置本体部２１の外面に露出するよう配置されている。また、タッチスイッチ３４の内側には、表示パネル３６と、バックライト３５とが配置されている。本実施形態では、表示パネル３６に表示される画像は、タッチスイッチ３４を透過して表示される。表示パネル３６及びバックライト３５は、例えば、液晶パネル、有機ＥＬ（Ｅｌｅｃｔｒｏ  Ｌｕｍｉｎｅｓｃｅｎｃｅ）パネル、又は電気泳動パネルである。
【００３８】
心拍数センサー１３７は、装置本体部２１の内面から突出するように設けられる。これにより、心拍数センサー１３７は、ヘッドマウントディスプレイ１が装着された際に、ユーザーの顔の表面に当接可能である。バッテリー３３は、一次電池、及び二次電池のいずれでもよい。
【００３９】
表示部６０は、装置本体部２１の先端部に連結されている。表示部６０は、上面視（Ｚ軸視）において湾曲した形状を有するアーム部材であり、装置本体部２１との連結部から先端側へ向かうに従い、内側に湾曲する形状を有する。表示部６０の内面には、ファインダー開口部６７が設けられている。また、表示部６０の外面には、カメラ６４が設けられている。
【００４０】
表示部６０は、ディスプレイヒンジ６１を介して、装置本体部２１と連結されている。ディスプレイヒンジ６１は、表示部６０の筐体６０Ａに形成された凹曲面状の収容部６１ａと、装置本体部２１に形成され収容部６１ａに嵌合された球状部６１ｂとからなるボールジョイントである。
【００４１】
ディスプレイヒンジ６１の球状部６１ｂは、装置本体部２１の外面の先端部に形成された傾斜面に設けられている。ここで、ディスプレイヒンジ６１の球状部６１ｂは、筐体２１Ａの長手方向に対して斜めに延びる傾斜面の法線方向（Ｙ’軸方向）に突出するように、設けられている。これにより、表示部６０は、ディスプレイヒンジ６１の球状部６１ｂに対してＹ’軸回りに、自由に回転可能である。
【００４２】
ディスプレイヒンジ６１の球状部６１ｂには、球状部６１ｂを高さ方向（Ｙ’軸方向）に貫通する貫通孔６１ｃが形成されている。表示部６０の内部と装置本体部２１の内部とは、貫通孔６１ｃを介して連通されている。また、貫通孔６１ｃには、ケーブル（不図示）が挿通される。回路基板２９と表示部６０の各部とは、この挿通されたケーブルを介して、電気的に接続される。
【００４３】
この構成により、表示部６０の各部は、回路基板２９の近傍に配置される。これにより、表示部の位置をＹ方向（図２を参照）に調整可能とする機構を、表示部６０に設けずに済む。また、表示部６０では、映像信号のケーブルが長く引き回されることがない。したがって、表示部６０は、映像信号にノイズが混入する可能性、及び、不要輻射が発せられる可能性を、極めて低く抑えることができる。
【００４４】
表示部６０は、バックライト６２と、表示パネル６３と、カメラ６４と、プリズム６５と、反射ミラー６６と、前方ライト６８と、前方スピーカー７０と、結像レンズ７１と、撮像素子７２とを備える。
【００４５】
プリズム６５は、上面視（Ｚ軸視）で略三角形状の第１プリズム６５ａと、上面視（Ｚ軸視）で略三角形状の第２プリズム６５ｂとが、互いの面で貼り合わされた構成を有する。表示パネル６３は、第１プリズム６５ａにおいて貼り合わされていない二面のうち、一方の面に対向する位置に設けられる。表示パネル６３は、例えば、液晶パネルである。また、表示パネル６３の背面には、表示パネル６３を透過照明するためのバックライト６２が配置される。また、第１プリズム６５ａにおいて貼り合わされていない他方の面に対向する位置には、反射ミラー６６が配置される。ここで、反射ミラー６６は、ファインダー開口部６７のほぼ正面の位置に配置される。
【００４６】
第２プリズム６５ｂにおいて貼り合わされていない二面のうち、一方の面は、ファインダー開口部６７のファインダー接眼面となる。また、第２プリズム６５ｂにおいて貼り合わされていない他方の面に対向する位置には、結像レンズ７１及び撮像素子７２が対向配置される。
【００４７】
表示部６０において、表示パネル６３に表示された画像は、その光学像が、第１プリズム６５ａ、反射ミラー６６、及び第２プリズム６５ｂを介して、ファインダー開口部６７から射出されることで、ユーザーに観察される。
【００４８】
撮像素子７２は、ファインダー開口部６７を介して表示パネル６３を見ているユーザーの目元を、第２プリズム６５ｂ及び結像レンズ７１を介して撮像する。撮像された目元の画像は、ユーザーの視線方向、目の瞬き、及び表情を解析する際に用いられる。すなわち、撮像素子７２は、ユーザーの目元を撮像する撮像部として機能する。ここで、バックライト６２は、撮像素子７２がユーザーの目元を撮像する際に、そのユーザーの目元を照明するための照明装置としても利用される。
【００４９】
カメラ６４（撮像部）は、例えば、５００万画素〜１０００万画素の撮像素子を有し、オートフォーカス動作が可能である。また、カメラ６４の撮像方向は、ユーザーの視線方向と一致するように設定される。これにより、カメラ６４は、ヘッドマウントディスプレイ１を装着したユーザーの視線方向の映像を、撮像することができる。
【００５０】
ここで、カメラ６４の撮像方向と、ユーザーの視線方向との一致調整は、機械的に行ってもよいが、画像処理により行われてもよい。例えば、ユーザーの目元を広角撮像した画像から、ユーザーの視線方向の情報が画像処理により取得されることで、ユーザーの視線方向の映像は、カメラ６４が撮像した映像から抜き出されてもよい。これにより、表示パネル６３は、その抜き出された映像を表示することができる。つまり、ユーザーの視線方向の映像は、カメラ６４に調整機構を設けることなく、撮像及び表示されることが可能となる。
【００５１】
前方ライト６８は、例えば、ＬＥＤ（Ｌｉｇｈｔ Ｅｍｉｔｔｉｎｇ Ｄｉｏｄｅ）ライトである。前方ライト６８は、赤、緑、青の各色の発光素子を有し、任意の色を任意のタイミングで発光させることが可能である。例えば、前方ライト６８は、発光色及び発光タイミングにより、外部に対して情報を表示する装置として用いられる。また、例えば、前方ライト６８は、カメラ６４が撮像する際に、照明装置として用いられてもよい。
【００５２】
図５は、ヘッドバンドの斜視図である。第１ヘッドバンド４３の円弧高さｒ１は、第２ヘッドバンド４４の円弧高さｒ２よりも低い。これにより、第１ヘッドバンド４３と第２ヘッドバンド４４とが交差するように移動されても、第１ヘッドバンド４３と第２ヘッドバンド４４とは、互いに干渉することなく、その位置の前後関係が入れ替わる。
ホルダー４２は、検出スイッチ４０５と、上受光部４０１と、下受光部４０２とを有する。
【００５３】
以下、ユーザーにとっての右側を、「ユーザーの右側」という。また、ユーザーにとっての左側を、「ユーザーの左側」という。
図６は、ディスプレイ本体がユーザーの右側に装着される場合における、ヘッドバンド及び装置本体部の垂直断面図である。
【００５４】
右音声ＬＥＤ３０１は、右チャンネルの音声信号を、光通信により装置本体部２１から出力するためのＬＥＤである。右音声ＬＥＤ３０１の外側には、導光板３０４が設けられている。また、左音声ＬＥＤ３０２は、左チャンネルの音声信号を、光通信により装置本体部２１から出力するためのＬＥＤである。左音声ＬＥＤ３０２の外側には、導光板３０５が設けられている。
【００５５】
導光板３０４及び導光板３０５は、装置本体部２１の長手方向に沿って構成されている。また、導光板３０４及び３０５は、装置本体部２１の中心線Ｏに対して、上下対称に配置されている。
【００５６】
この構成により、ユーザーの眼と表示部６０との相対距離が最適となるよう、装置本体部２１をホルダー４２が支持している位置がＹ軸方向（図１を参照）に調節された場合でも、第１骨伝導スピーカー５０及び第２骨伝導スピーカー５１は、ユーザーにとって好ましい位置（例えば、こめかみの位置）に当接する。また、ＬＥＤ３０１と上受光部４０１が正対していなくても、左右チャンネルの一方の音声信号は、ＬＥＤ３０１から導光板３０４を介して、上受光部４０１に伝達される。また、ＬＥＤ３０２と上受光部４０２が正対していなくても、左右チャンネルの他方の音声信号は、ＬＥＤ３０２から導光板３０５を介して、上受光部４０２に伝達される。このようにして、ヘッドマウントディスプレイ１は、画像及び音声をユーザーにクリアに伝えることができる。音声信号の伝達の詳細については、図９を用いて後述する。
【００５７】
支持板４６ａの弾性部材４６ｂに対して反対側の面には、当該面に垂直な姿勢でピン４１が立設されている。ピン４１は、第１ヘッドバンド４３の一端と嵌合する。また、ヘッドパット４６の支持板４６ａ及び弾性部材４６ｂは、第１ヘッドバンド４３の一端に配置されている。
【００５８】
ホルダー４２に設けられた収容部４２ａと、ピン４１の一端に設けられた球状部４１ａとは、互いに嵌合し、いわゆるボールジョイントを構成する。これにより、ホルダー４２は、球状部４１ａを中心に、ヘッドバンド４０に対して回動自在となる。
【００５９】
ここで、ホルダー４２は、装置本体部２１が略水平に配置され、且つ、第1ヘッドバンド４３が略垂直方向に配置された状態から、回動制限機構（不図示）により上下４５度ずつ、Ａ方向（図１を参照）に回動可能である。
【００６０】
ホルダー４２は、ユーザーの眼と表示部６０（図３を参照）との距離が最適となるよう、装置本体部２１を支持する。ここで、装置本体部２１の高さ及び幅は、導光板３０４の近傍では均一である。これにより、ホルダー４２は、爪４２ｂを若干変形させることにより、装置本体部２１を確実に支持することができる。
【００６１】
ホルダー４２の内部には、上受光部４０１及び下受光部４０２が、ホルダー４２の中心線Ｏに対して、上下対称に設けられている。また、ホルダー４２の内部には、検出スイッチ４０５も設けられている。また、検出スイッチ４０５は、装置本体部２１がホルダー４２に支持されているか否か、すなわち、ディスプレイ本体２０（装置本体部２１）の着脱を検出する。
【００６２】
上受光部４０１、下受光部４０２、及び検出スイッチ４０５は、基板４０６上に配置される。検出スイッチ４０５から出力された信号は、ピン４１内部に設けられた貫通孔４１ｂを通るケーブル４１５を介して、ヘッドパッド４６内の基板４１２に出力される。上受光部４０１及び下受光部４０２からそれぞれ出力される信号についても、同様である。
【００６３】
ヘッドパッド４６の内部には、制御回路（不図示）と、バッテリー４１４と、オーディオコネクター４１３とが設けられる。この制御回路は、基板４１２上に設けられる。また、支持板４６ａには、ネオジウムなどの永久磁石４１１が設けられる。また、永久磁石４１１の周囲には、コイル４１０が緩く嵌合している。また、コイル４１０には、振動板４１６が設けられる。
【００６４】
バッテリー４１４は、一次電池でもよいし、二次電池でもよい。また、バッテリー４１４は、交換可能でもよい。
オーディオコネクター４１３には、ステレオイヤホンが接続可能である。
【００６５】
第１骨伝導スピーカー５０は、永久磁石４１１と、コイル４１０と、振動板４１６とを備える。第１骨伝導スピーカー５０は、ユーザーの頭部に接触し、皮膚及び骨を通して鼓膜に音を伝える。
【００６６】
第１骨伝導スピーカー５０と基板４１２とは、ケーブル（不図示）を介して電気的に接続されている。例えば、第１骨伝導スピーカー５０は、上受光部４０１で光通信により受光された音声信号が、基板４１２を介して第１骨伝導スピーカー５０に伝えられることで振動する。また、第１骨伝導スピーカー５０に対して反対側に設けられている第２骨伝導スピーカー５１（図２を参照）は、下受光部４０２で光通信により受光された音声信号が、第２骨伝導スピーカー５１内の基板（不図示）を介して伝えられることで振動する。
【００６７】
図７は、ステレオイヤホンを示す斜視図である。ステレオイヤホン１００は、コネクター１０１と、ケーブル１０２と、第１スピーカー１０３と、第２スピーカー１０４と、複数のクリップ１０６とを有する。
【００６８】
コネクター１０１は、ケーブル１０２の一方の端部に設けられている。コネクター１０１は、例えば、３極φ３．５ｍｍのミニプラグである。ここで、３極の内訳は、第１スピーカー１０３、第２スピーカー１０４、及び、グランド（ＧＮＤ）である。ケーブル１０２は、コネクター１０１の近傍において二分岐されている。ケーブル１０２の一方の端部には、第１スピーカー１０３が設けられている。また、ケーブル１０２の他方の端部には、第２スピーカー１０４が設けられている。また、複数のクリップ１０６は、ケーブル１０２上に、所定の間隔で配置されている。
【００６９】
第１スピーカー１０３は、ディスプレイ本体２０が配置された側のユーザーの耳に装着される。一方、第２スピーカー１０４は、第１スピーカー１０３とは反対側の耳に装着される。ここで、ケーブル１０２は、クリップ１０６により、第２ヘッドバンド４４に固定されてもよい。
【００７０】
図８は、ヘッドマウントディスプレイの機能ブロック図である。ヘッドマウントディスプレイ１は、バックライト６２と、表示パネル６３と、カメラ６４と、撮像素子７２と、デコーダー１２１と、フラッシュメモリー１２２と、処理部１２３と、ＬＣＤドライバ１２５と、ＢＬドライバ１２６と、メモリー１２７と、エンコーダー１２９と、メインスイッチ２８と、操作スイッチ３０と、ヘッドバンドセンサー１５１と、バイブレーター１６４と、タッチスイッチ３４と、右音声ＬＥＤ３０１と、左音声ＬＥＤ３０２と、バックライト３５と、バッテリー３３と、電源回路１２０と、表示パネル３６と、耳元スピーカー２３と、スピーカーアンプ１６２と、前方スピーカー７０と、ビデオコネクター２７と、集音マイク２４と、通話マイク３７と、レーザー発振器７３と、角速度センサー１３４と、ＧＰＳセンサー１３５と、温湿度センサー１３６と、心拍数センサー１３７と、３Ｇ／ＬＴＥ通信回路１３８と、前方ライト６８と、地磁気センサー１３３と、加速度センサー１３２と、ＷｉＦｉ通信回路１３１と、ＢＴ通信回路１３０とを備える。
【００７１】
バッテリー３３は、電源回路１２０を介して、ヘッドマウントディスプレイ１の各部に電力を供給する。
電源回路１２０は、バッテリー３３から供給された電力の制御（例えば、電圧の変換、供給オンオフ）を、処理部１２３から供給される制御信号に基づいて実行する。
【００７２】
メモリー１２７は、処理部１２３が実行する制御プログラムを、予め記憶する。
メインスイッチ２８は、装置全体の電源のオンオフを行うためのスイッチであり、ユーザーが操作することにより、その操作に基づく制御信号を処理部１２３に供給する。
操作スイッチ３０は、画面内でのポインティング操作を行うためのスイッチであり、ユーザーが操作することにより、その操作に基づく制御信号を処理部１２３に供給する。
タッチスイッチ３４は、タッチ操作により各種の操作入力を行うスイッチであり、操作入力に基づく制御信号を処理部１２３に供給する。
【００７３】
なお、ディスプレイ本体２０は、ユーザーの右側又は左側のいずれに装着された場合でも、メインスイッチ２８、操作スイッチ３０、及びタッチスイッチ３４を介した操作入力により操作可能である。
【００７４】
加速度センサー１３２（Ｇセンサー）は、加速度（例えば、重力方向）を検出し、検出した加速度の情報（以下、「加速度情報」という）を処理部１２３に供給する。供給された加速度情報は、ヘッドマウントディスプレイ１の姿勢（傾き）を検出するために用いられる。
【００７５】
地磁気センサー１３３は、地磁気に基づいて方位情報を検出し、検出した方位情報を処理部１２３に供給する。検出した方位情報は、ヘッドマウントディスプレイ１が向いている方位の検出に用いられる。
【００７６】
角速度センサー１３４（ジャイロセンサー）は、角速度を検出し、検出した角速度を処理部１２３に供給する。検出した角速度は、ヘッドマウントディスプレイ１の回転検出に用いられる。
ＧＰＳセンサー１３５は、ＧＰＳを利用した測位により、ヘッドマウントディスプレイ１の緯度、経度及び高度を測定し、測定した緯度、経度及び高度を、処理部１２３に供給する。
【００７７】
温湿度センサー１３６は、環境の温度、及び湿度を検出する。温湿度センサー１３６は、検出した環境の温度、及び湿度を処理部１２３に供給する。
レーザー発振器７３は、表示パネル６３に表示された画像内の所定の位置に対応するターゲット（対象物）に、レーザー光（スポット光）を照射する。
【００７８】
心拍数センサー１３７は、ユーザーの頬に当接して心拍数を検出し、検出したユーザーの心拍数を処理部１２３に供給する。これにより、心拍数センサー１３７は、ヘッドマウントディスプレイ１がユーザーに装着されているか否か、つまり、ユーザーの頭部の近傍にディスプレイ本体２０が配置されているか否かを検出することができる。
【００７９】
ヘッドバンドセンサー１５１は、ディスプレイ本体２０がホルダー４２に支持されたことを検出し、ディスプレイ本体２０がホルダー４２に支持されているか否かを示す信号を、処理部１２３に出力する。
【００８０】
カメラ６４（撮像部）は、オートフォーカス動作、及び撮像処理を実行する。カメラ６４は、光学系と、撮像素子とを備える。カメラ６４の光学系は、レンズ群を備える。また、光学系のレンズ群は、カメラ６４の撮像素子の受光面に、被写体像（光学像）を結像させる。なお、カメラ６４の光学系のレンズは、オートフォーカス動作の際、処理部１２３から供給される制御信号に基づいて駆動される。
【００８１】
カメラ６４の撮像素子は、ＣＣＤイメージセンサ（Ｃｈａｒｇｅ Ｃｏｕｐｌｅｄ Ｄｅｖｉｃｅ Ｉｍａｇｅ Ｓｅｎｓｏｒ）などの撮像素子である。カメラ６４の撮像素子は、受光面に結像された被写体像（光学像）を、撮像処理により電気信号に変換し、さらに画像データに変換してエンコーダー１２９に出力する。
【００８２】
カメラ６４は、比較的深い被写界深度を有し、至近から無限遠方までの範囲を、いわゆるパンフォーカスにより撮像することができる。これにより、カメラ６４は、無限遠方に在る被写体の被写体像に合焦させている場合でも、至近に在るユーザーの手の画像に合焦させて、そのユーザーの手を検出することができる。
【００８３】
撮像素子７２は、その受光面に結像された被写体像（光学像）を、撮像処理により電気信号に変換し、さらに画像データに変換してエンコーダー１２９に出力する。
【００８４】
エンコーダー１２９には、カメラ６４、撮像素子７２、集音マイク２４、通話マイク３７、及び、ビデオコネクター２７が接続されている。エンコーダー１２９は、集音マイク２４及び通話マイク３７から入力された各音声信号を、所定の音声方式の音声データにエンコードする。すなわち、エンコーダー１２９は、集音マイク２４及び通話マイク３７からそれぞれ入力された音声信号をエンコード（符号化）し、エンコードした音声信号を処理部１２３に供給する。
【００８５】
エンコーダー１２９は、カメラ６４、撮像素子７２、及びビデオコネクター２７から入力された各映像信号を、所定の映像方式の映像データにエンコードする。すなわち、エンコーダー１２９は、カメラ６４、ユーザーの目元を撮像する撮像素子７２、及びビデオコネクター２７からそれぞれ入力された映像（画像）信号をエンコードし、エンコードした映像（画像）信号を処理部１２３に供給する。
【００８６】
処理部１２３は、例えば、ＣＰＵ（Ｃｅｎｔｒａｌ Ｐｒｏｃｅｓｓｉｎｇ Ｕｎｉｔ）である。処理部１２３は、ヘッドマウントディスプレイ１の各種回路（機能ブロック）に接続されるとともに、ヘッドマウントディスプレイ１を総合的に制御する。また、処理部１２３は、操作スイッチ３０が受け付けた操作入力に基づいて動作することができる。
【００８７】
処理部１２３は、集音マイク２４及び通話マイク３７等からエンコーダー１２９を介して供給された音声データを、フラッシュメモリー１２２に記憶させる。また、処理部１２３は、集音マイク２４及び通話マイク３７等からエンコーダー１２９を介して供給された音声データを、ＢＴ通信回路１３０、ＷｉＦｉ通信回路１３１、及び３Ｇ／ＬＴＥ通信回路１３８の少なくとも一つを介して、他の機器（不図示）に送信する。また、処理部１２３は、フラッシュメモリー１２２に記憶された音声データを、ＢＴ通信回路１３０、ＷｉＦｉ通信回路１３１、及び３Ｇ／ＬＴＥ通信回路１３８の少なくとも一つを介して、他の機器（不図示）に送信してもよい。
【００８８】
また、処理部１２３は、カメラ６４、撮像素子７２、及びビデオコネクター２７の少なくとも一つから、エンコーダー１２９を介して供給された映像（画像）データを、フラッシュメモリー１２２に記憶させる。また、処理部１２３は、カメラ６４、撮像素子７２、及びビデオコネクター２７の少なくとも一つから、エンコーダー１２９を介して供給された映像（画像）データを、デコーダー１２１及びＬＣＤドライバ１２５を介して、表示パネル３６及び表示パネル６３に表示させる。また、処理部１２３は、フラッシュメモリー１２２に記憶された映像（画像）データを、デコーダー１２１及びＬＣＤドライバ１２５を介して、表示パネル３６及び表示パネル６３に表示させる。
【００８９】
また、処理部１２３は、デコーダー１２１から出力された映像信号を、ＬＣＤドライバ１２５を介して、表示パネル３６及び表示パネル６３の少なくとも一方に供給させる。これにより、映像データが再生される。すなわち、入力された映像信号に基づく映像は、表示パネル３６及び表示パネル６３に表示される。また、処理部１２３は、デコーダー１２１から出力された映像信号を、ビデオコネクター２７を介して外部機器（不図示）に出力させる。
【００９０】
また、処理部１２３は、カメラ６４、撮像素子７２、及びビデオコネクター２７の少なくとも一つから、エンコーダー１２９を介して供給された映像（画像）データを、ＢＴ通信回路１３０、ＷｉＦｉ通信回路１３１、及び３Ｇ／ＬＴＥ通信回路１３８の少なくとも一つを介して、他の機器（不図示）に送信する。
【００９１】
また、処理部１２３は、表示パネル３６用のバックライト３５を、必要に応じて点灯させることにより、表示パネル３６に映像を表示させる。ここで、処理部１２３は、ＢＬドライバ１２６に制御信号を供給することにより、ＢＬドライバ１２６にバックライト３５を点灯させる。
【００９２】
また、処理部１２３は、表示パネル６３用のバックライト６２を、必要に応じて点灯させることにより、表示パネル６３に映像を表示させる。ここで、処理部１２３は、ＢＬドライバ１２６に制御信号を供給することにより、ＢＬドライバ１２６にバックライト６２を点灯させる。
【００９３】
また、処理部１２３には、ディスプレイ本体２０がホルダー４２に支持されているか否かを示す信号が、ヘッドバンドセンサー１５１から入力される。処理部１２３は、ディスプレイ本体２０がホルダー４２に支持されている場合、耳元スピーカー２３からの音声出力を止め、右音声ＬＥＤ３０１及び左音声ＬＥＤ３０２に、光通信を実行させる。
【００９４】
バイブレーター１６４は、いわゆるマナーモードに設定された状態で着信があった場合に、処理部１２３から供給された制御信号に基づいて振動する。これにより、マナーモードに設定された状態でも、着信がユーザーに通知される。
【００９５】
デコーダー１２１には、ＬＣＤドライバ１２５、スピーカーアンプ１６２、右音声ＬＥＤ３０１、左音声ＬＥＤ３０２、及びビデオコネクター２７が接続されている。デコーダー１２１は、音声データを音声信号にデコード（復号化）し、デコードした音声信号を、スピーカーアンプ１６２、又は、右音声ＬＥＤ３０１及び左音声ＬＥＤ３０２に供給する。また、デコーダー１２１は、映像（画像）データを映像（画像）信号にデコードし、デコードした映像信号を、ＬＣＤドライバ１２５又はビデオコネクター２７に供給する。
【００９６】
右音声ＬＥＤ３０１は、デコーダー１２１から供給された右チャンネルの音声信号に基づいて、光通信を実行する。
左音声ＬＥＤ３０２は、デコーダー１２１から供給された左チャンネルの音声信号に基づいて、光通信を実行する。
【００９７】
ＬＣＤドライバ１２５は、例えば、液晶パネル用の駆動信号を生成する回路であり、表示パネル３６及び表示パネル６３に接続されている。ＬＣＤドライバ１２５は、処理部１２３からデコーダー１２１を介して供給された映像（画像）信号に基づいて、液晶パネル用の駆動信号を生成し、生成した液晶パネル用の駆動信号を、表示パネル３６又は表示パネル６３に供給する。
【００９８】
表示パネル６３（表示部）は、例えば、液晶表示パネルであり、ＬＣＤドライバ１２５から供給される駆動信号に基づいて、映像（画像）を表示する。表示パネル６３は、例えば、カメラ６４によって撮像された画像、及びメニュー画面を表示する。
【００９９】
ＢＬドライバ１２６は、例えば、バックライト用の駆動信号を生成する回路であり、バックライト３５及びバックライト６２に接続されている。ＢＬドライバ１２６は、処理部１２３から供給された制御信号に基づいて、バックライト用の駆動信号を生成し、生成したバックライト用の駆動信号を、バックライト３５及びバックライト６２に供給する。
【０１００】
スピーカーアンプ１６２は、デコーダー１２１を介して供給された音声信号を増幅し、増幅した音声信号を、耳元スピーカー２３及び前方スピーカー７０に供給する。ここで、スピーカーアンプ１６２は、デコーダー１２１を介して供給された左右の音声信号を合成し、合成した結果としてのモノラル音声信号を、耳元スピーカー２３及び前方スピーカー７０に供給する。
【０１０１】
耳元スピーカー２３は、左右の音声信号が合成されたモノラル音声を出力する。
前方スピーカー７０は、左右の音声信号が合成されたモノラル音声を出力する。
【０１０２】
ＢＴ通信回路１３０は、他の機器とのＢｌｕｅｔｏｏｔｈ（登録商標）通信を行うための通信回路である。
ＷｉＦｉ通信回路１３１は、他の機器との無線ＬＡＮ通信（ＩＥＥＥ ８０２．１１）を行うための通信回路である。
３Ｇ／ＬＴＥ通信回路１３８は、他の機器との移動通信を行うための通信回路である。
ＢＴ通信回路１３０、ＷｉＦｉ通信回路１３１、及び３Ｇ／ＬＴＥ通信回路１３８は、他の機器との間で、音声データや映像（画像）データなどの情報の送受信を実行する。
【０１０３】
図９は、ヘッドバンドの構成を示す機能ブロック図である。ヘッドバンド４０は、処理部４１８ａと、上受光部４０１と、下受光部４０２と、検出スイッチ４０５と、電源制御部４１９と、オーディオコネクター４１３と、第１骨伝導スピーカー５０と、第２骨伝導スピーカー５１と、バッテリー４１４とを備える。
【０１０４】
検出スイッチ４０５は、ホルダー４２（図６を参照）に装置本体部２１（図６を参照）が支持されているか否かを検出する。検出スイッチ４０５は、ホルダー４２に装置本体部２１が支持されているか否かを示す信号を、電源制御部４１９に出力する。
【０１０５】
バッテリー４１４は、電源制御部４１９に電力を供給する。
電源制御部４１９には、ホルダー４２に装置本体部２１が支持されているか否かを示す信号が、検出スイッチ４０５から入力される。電源制御部４１９は、ホルダー４２に装置本体部２１が支持されている場合、バッテリー４１４からの電力を、処理部４１８ａなど各部に供給する。
【０１０６】
上受光部４０１は、光通信により受光した音声信号を、処理部４１８ａに出力する。また、下受光部４０２は、光通信により受光した音声信号を、処理部４１８ａに出力する。
【０１０７】
ディスプレイ本体２０がユーザーの右側に装着されている場合、上受光部４０１は、右音声ＬＥＤ３０１から導光板３０４を介して射出された光を、受光することになる（図６を参照）。一方、下受光部４０２は、左音声ＬＥＤ３０２から導光板３０５を介して射出された光を、受光することになる（図６を参照）。
【０１０８】
ディスプレイ本体２０がユーザーの左側に装着されている場合、ディスプレイ本体２０は、ユーザーの右側に装着されている場合に対して向きが反転された状態で、ホルダー４２に支持される。したがって、下受光部４０２は、右音声ＬＥＤ３０１から導光板３０４を介して射出された光を、受光することになる。一方、上受光部４０１は、左音声ＬＥＤ３０２から導光板３０５を介して射出された光を、受光することになる。
【０１０９】
なお、装置本体部２１の長手方向に沿って、導光板３０４及び導光板３０５が配設されているので（図２を参照）、ホルダー４２が装置本体部２１を支持している位置が、装置本体部２１の長手方向にずれた場合でも、光通信は確実に実行される。また、光通信は、不要輻射などの心配がない。また、音声信号では最大でも４［ｋＨｚ］程度の周波数で信号を送受信できればよいので、回路に負担が少ない。
【０１１０】
処理部４１８ａは、電源制御部４１９から電力が供給されて動作する。処理部４１８ａは、ソフトウェア処理を実行するプロセッサ、デジタル処理を実行するデジタル回路（ハードウェア）、又は、アナログ処理を実行するアナログ回路（ハードウェア）のいずれでもよい。本実施形態では、処理部４１８ａは、一例として、アナログ回路であるものとして説明を続ける。
【０１１１】
ディスプレイ本体２０がユーザーの右側に装着されている場合、右チャンネルの音声信号は、上受光部４０１に受光される。処理部４１８ａは、上受光部４０１から入力された右チャンネルの音声信号を、第１骨伝導スピーカー５０（図２を参照）に出力する。また、左チャンネルの音声信号は、下受光部４０２に受光される。処理部４１８ａは、下受光部４０２から入力された左チャンネルの音声信号を、第２骨伝導スピーカー５１（図２を参照）に出力する。
【０１１２】
このようにして、ユーザーの右側に装着されている第１骨伝導スピーカー５０からは、右チャンネルの音声が出力される。また、ユーザーの左側に装着されている第２骨伝導スピーカー５１からは、左チャンネルの音声が出力される。
【０１１３】
一方、ディスプレイ本体２０がユーザーの左側に装着されている場合、左チャンネルの音声信号は、上受光部４０１に受光される。処理部４１８ａは、上受光部４０１から入力された左チャンネルの音声信号を、第１骨伝導スピーカー５０に出力する。また、右チャンネルの音声信号は、下受光部４０２に受光される。処理部４１８ａは、下受光部４０２から入力された右チャンネルの音声信号を、第２骨伝導スピーカー５１に出力する。
【０１１４】
このようにして、ユーザーの左側に装着されている第１骨伝導スピーカー５０からは、左チャンネルの音声が出力される。また、ユーザーの右側に装着されている第２骨伝導スピーカー５１からは、右チャンネルの音声が出力される。
【０１１５】
次に、オーディオコネクター４１３（図６及び図９を参照）に、ステレオイヤホン１００が接続された場合における、ヘッドバンドの動作について説明する。
処理部４１８ａは、オーディオコネクター４１３の電気抵抗値を検出することにより、オーディオコネクター４１３にステレオイヤホン１００が接続されたか否かを検出する。処理部４１８ａは、オーディオコネクター４１３にステレオイヤホン１００が接続された場合、音声出力先を切り替える。
【０１１６】
具体的には、処理部４１８ａは、オーディオコネクター４１３にステレオイヤホン１００が接続された場合、第１骨伝導スピーカー５０からの音声出力と、第２骨伝導スピーカー５１からの音声出力とを停止させ、ステレオイヤホン１００からの音声出力を開始させる。
【０１１７】
ここで、第１骨伝導スピーカー５０からの出力が停止された音声は、オーディオコネクター４１３にステレオイヤホン１００が接続された場合、ディスプレイ本体２０が配置された側のユーザーの耳に装着される第１スピーカー１０３（図７を参照）から出力される。一方、第２骨伝導スピーカー５１からの出力が停止された音声は、オーディオコネクター４１３にステレオイヤホン１００が接続された場合、ディスプレイ本体２０が配置されていない側のユーザーの耳に装着される第２スピーカー１０４（図７を参照）から出力される。したがって、ユーザーに聞こえる右チャンネルの音声と、左チャンネルの音声との左右の関係は、ステレオイヤホン１００の接続の前後で崩れることがない。
【０１１８】
なお、ディスプレイ本体２０（装置本体部２１）は、ヘッドバンド４０に支持されている状態でなくても使用可能である。ユーザーは、例えば、ディスプレイ本体２０を手で持った状態でも使用可能である。この場合、モノラル音声は、耳元スピーカー２３から出力される。
【０１１９】
音声の出力先の切り替え処理は、例えば、ディスプレイ本体２０がユーザーのポケットなどに入れられた状態で持ち運ばれている場合と、ディスプレイ本体２０がヘッドバンド４０に支持されている状態でなく頭部の近傍で使用される場合と、ディスプレイ本体２０がヘッドバンド４０に支持されている状態で使用される場合とに応じて、実行される。
【０１２０】
図１０は、音声出力先の切り替え処理を示すフローチャートである。図１０では、ヘッドマウントディスプレイ１が、電話機として通話処理を実行する場合について説明する。
（ステップＳ１）処理部４１８ａ（図９を参照）は、ヘッドマウントディスプレイ１に対して着信があるか否かを判定する。着信がない場合（ステップＳ１：Ｎｏ）、処理部４１８ａは、ステップＳ１に処理を戻す。一方、着信がある場合（ステップＳ１：Ｙｅｓ）、処理部４１８ａは、ステップＳ２に処理を進める。
【０１２１】
（ステップＳ２）処理部１２３（図８を参照）は、ディスプレイ本体２０がヘッドバンド４０（ホルダー４２）に支持されているか否かを判定する。ここで、処理部１２３は、ディスプレイ本体２０がホルダー４２に支持されているか否かを示す信号を、ヘッドバンドセンサー１５１（図８を参照）から受信することにより、ディスプレイ本体２０がホルダー４２に支持されているか否かを判定する。
【０１２２】
なお、ディスプレイ本体２０の処理部１２３と、ヘッドバンド４０の処理部４１８ａ（図９を参照）とが通信するための通信部は、別途設けられてもよい。処理部４１８ａは、検出スイッチ４０５（図６を参照）から出力された信号、すなわち、装置本体部２１がホルダー４２に支持されているか否かを示す情報を、前記通信部を介して処理部１２３に通信してもよい。
【０１２３】
ディスプレイ本体２０がヘッドバンド４０に支持されている場合（ステップＳ２：Ｙｅｓ）、処理部４１８ａは、ステップＳ３に処理を進める。一方、ディスプレイ本体２０がヘッドバンド４０に支持されていない場合（ステップＳ２：Ｎｏ）、処理部１２３は、ステップＳ４に処理を進める。
【０１２４】
（ステップＳ３）処理部４１８ａは、第１骨伝導スピーカー５０及び第２骨伝導スピーカー５１から着信音を出力させ、ステップＳ９に処理を進める。
【０１２５】
（ステップＳ４）処理部１２３は、ディスプレイ本体２０がユーザーの頭部の近傍に配置されているか否かを判定する。ここで、処理部１２３は、心拍数センサー１３７（図２を参照）がユーザーの心拍数をカウントしている場合に、ディスプレイ本体２０がユーザーの頭部の近傍に配置されていると判定する。また、処理部１２３は、例えば、撮像素子７２（図４を参照）がユーザーの目元を撮影している場合、ディスプレイ本体２０がユーザーの頭部の近傍に配置されていると判定してもよい。
【０１２６】
なお、ディスプレイ本体２０がホルダー４２に支持されておらず、且つ、ディスプレイ本体２０がユーザーの頭部の近傍に配置されている場合としては、例えば、スピーカーを有さない頭部保護具（ヘルメット）などに、ディスプレイ本体２０が装着されている場合が想定される。
【０１２７】
ディスプレイ本体２０がユーザーの頭部の近傍に配置されている場合（ステップＳ４：Ｙｅｓ）、処理部１２３は、ステップＳ５に処理を進める。一方、ディスプレイ本体２０がユーザーの頭部の近傍に配置されていない場合（ステップＳ４：Ｎｏ）、処理部１２３は、ステップＳ６に処理を進める。
【０１２８】
（ステップＳ５）処理部１２３は、着信音を耳元スピーカー２３から低音圧で出力させ、ステップＳ９に処理を進める。
【０１２９】
（ステップＳ６）処理部１２３は、ディスプレイ本体２０がマナーモードに設定されているか否かを判定する。ディスプレイ本体２０がマナーモードに設定されている場合（ステップＳ６：Ｙｅｓ）、処理部１２３は、ステップＳ７に処理を進める。一方、ディスプレイ本体２０がマナーモードに設定されていない場合（ステップＳ６：Ｎｏ）、処理部１２３は、ステップＳ８に処理を進める。
【０１３０】
（ステップＳ７）処理部１２３は、制御信号によりバイブレーター１６４を振動させ、ステップＳ９に処理を進める。
【０１３１】
（ステップＳ８）処理部１２３は、着信音を前方スピーカー７０（図４を参照）から高音圧で出力させる。
【０１３２】
（ステップＳ９）処理部１２３は、通話処理を開始する指示を受け付けたか否か、すなわち、ユーザーにより通話が開始されたか否か、を判定する。ここで、通話処理を開始する指示は、例えば、タッチスイッチ３４（図１を参照）から操作入力される。通話が開始されていない場合（ステップＳ９：Ｎｏ）、処理部１２３は、ステップＳ２に処理を戻す。一方、通話が開始された場合（ステップＳ９：Ｙｅｓ）、処理部１２３は、ステップＳ１０に処理を進める。
【０１３３】
（ステップＳ１０）処理部１２３（図８を参照）は、ディスプレイ本体２０がヘッドバンド４０（ホルダー４２）に支持されているか否かを判定する。ここで、処理部１２３は、ディスプレイ本体２０がホルダー４２に支持されているか否かを示す信号を、ヘッドバンドセンサー１５１（図８を参照）から受信することにより、ディスプレイ本体２０がホルダー４２に支持されているか否かを判定する。
【０１３４】
ディスプレイ本体２０がヘッドバンド４０に支持されている場合（ステップＳ１０：Ｙｅｓ）、処理部４１８ａは、ステップＳ１１に処理を進める。一方、ディスプレイ本体２０がヘッドバンド４０に支持されていない場合（ステップＳ１０：Ｎｏ）、処理部１２３は、ステップＳ１２に処理を進める。
【０１３５】
（ステップＳ１１）処理部４１８ａは、第１骨伝導スピーカー５０及び第２骨伝導スピーカー５１から、通話相手からの音声を出力させ、ステップＳ１３に処理を進める。
【０１３６】
（ステップＳ１２）処理部１２３は、通話相手からの音声を耳元スピーカー２３から低音圧で出力させ、ステップＳ１３に処理を進める。
【０１３７】
（ステップＳ１３）処理部１２３は、通話処理を終了する指示を受け付けたか否か、すなわち、ユーザーにより通話が終了されたか否か、を判定する。ここで、通話処理を終了する指示は、例えば、タッチスイッチ３４（図１を参照）から操作入力される。通話が終了されていない場合（ステップＳ１３：Ｎｏ）、処理部１２３は、ステップＳ１０に処理を戻す。一方、通話が終了された場合（ステップＳ１３：Ｙｅｓ）、処理部１２３は、処理を終了する。
【０１３８】
以上のように、頭部装着型情報入出力装置（ヘッドマウントディスプレイ１）は、画像を表示する表示パネル６３と、音声信号を出力するデコーダー１２１と、デコーダー１２１から出力された前記音声信号を送信する右音声ＬＥＤ３０１及び左音声ＬＥＤ３０２と、を有するディスプレイ本体２０と、右音声ＬＥＤ３０１及び左音声ＬＥＤ３０２から送信された前記音声信号を受信する上受光部４０１及び下受光部４０２と、ディスプレイ本体２０を着脱可能に支持するホルダー４２と、ホルダー４２にディスプレイ本体２０が支持されている場合、ユーザーの頭部の近傍に配置され、上受光部４０１及び下受光部４０２に受信された前記音声信号に基づいて音声を出力する第１骨伝導スピーカー５０及び第２骨伝導スピーカー５１と、を有するヘッドバンド４０と、を備える。
この構成により、ホルダー４２は、ディスプレイ本体２０を着脱可能に支持する。これにより、頭部装着型情報入出力装置（ヘッドマウントディスプレイ１）は、利便性を向上させることができる。
【０１３９】
また、この構成により、ホルダー４２の上受光部４０１及び下受光部４０２は、右音声ＬＥＤ３０１及び左音声ＬＥＤ３０２から送信された前記音声信号を、ヘッドマウントディスプレイの装着形態に応じて受信（受光）する（図６を参照）。これにより、ユーザーに聞こえる右チャンネルの音声と、左チャンネルの音声との左右の関係は、ヘッドマウントディスプレイの装着形態（装置本体部２１が支持されている向き）（図３を参照）によらず、崩れることがない。
【０１４０】
また、ディスプレイ本体２０（装置本体部２１）は、ヘッドバンド４０に支持されている状態でなくても、例えば、ディスプレイ本体２０を手で持った状態でも使用可能である。これにより、ユーザーは、ヘッドバンド４０を持ち歩かなくても、ディスプレイ本体２０を非常にコンパクトに持ち歩くことができる。
【０１４１】
また、表示部６０の各部は、回路基板２９の近傍に配置される。これにより、表示部の位置をＹ方向（図２を参照）に調整可能とする機構を、表示部６０に設けずに済むので、表示部６０では、映像信号のケーブルが長く引き回されることがない。したがって、表示部６０は、映像信号にノイズが混入する可能性、及び、不要輻射が発せられる可能性を、極めて低く抑えることができる。また、ディスプレイ本体２０は、防滴性及び防塵性が高い。また、頭部装着型情報入出力装置（ヘッドマウントディスプレイ１）は、製造コストが低い。
【０１４２】
また、右音声ＬＥＤ３０１及び左音声ＬＥＤ３０２は、光により前記音声信号を送信する。
また、ディスプレイ本体２０は、耳元スピーカー２３を有し、耳元スピーカー２３は、ホルダー４２にディスプレイ本体２０が支持されていない場合、デコーダー１２１から出力された前記音声信号に基づいて音声を出力する。
【０１４３】
また、ヘッドバンド４０は、バッテリー４１４を有し、バッテリー４１４は、ホルダー４２にディスプレイ本体２０が支持されているか否かに応じて、ヘッドバンド４０に電力を供給する。
【０１４４】
また、ホルダー４２は、ディスプレイ本体２０を所定方向に移動可能に支持する。これにより、ディスプレイ本体２０は、ユーザーの眼の具合、及び顔の形状などに応じて、装着状態を前記所定方向に調整可能である。
【０１４５】
また、第１骨伝導スピーカー５０及び第２骨伝導スピーカー５１は、前記ユーザーの頭部に当接する骨伝導スピーカーである。
また、ホルダー４２は、向きが反転されたディスプレイ本体２０を支持する。
また、第１骨伝導スピーカー５０及び第２骨伝導スピーカー５１は、ホルダー４２に支持されたディスプレイ本体２０の向きに応じて、前記音声の出力チャンネルを切り替える。
【０１４６】
また、ディスプレイ本体２０は、前記ユーザーの頭部の近傍にディスプレイ本体２０が配置されているか否かを検出する心拍数センサー１３７を有し、耳元スピーカー２３は、ホルダー４２にディスプレイ本体２０が支持されておらず、且つ、前記ユーザーの頭部の近傍にディスプレイ本体２０が配置されていることを心拍数センサー１３７が検出した場合、音声を出力する。
【０１４７】
また、ディスプレイ本体２０は、バイブレーター１６４を有し、バイブレーター１６４は、第１骨伝導スピーカー５０及び第２骨伝導スピーカー５１、並びに、耳元スピーカー２３のいずれからも音声が出力されない場合、振動する。
【０１４８】
［第２実施形態］
第２実施形態では、ディスプレイ本体２０及びヘッドバンド４０が音声信号を電波により通信する点が、第１実施形態と相違する。以下では、第１実施形態との相違点についてのみ説明する。
【０１４９】
ディスプレイ本体２０の処理部１２３（図８を参照）は、加速度センサー１３２から供給された加速度情報に基づいて、ディスプレイ本体２０の姿勢（支持されている向き、ディスプレイ本体２０にかかる重力方向）を判定し、この判定結果に応じて、左右の音声信号のチャンネル設定を実行する。
【０１５０】
具体的には、ディスプレイ本体２０がユーザーの右側に装着されている場合、処理部１２３は、右チャンネルの音声信号が第１骨伝導スピーカー５０から出力され、左チャンネルの音声信号が第２骨伝導スピーカー５１から出力されるように、チャンネル設定を実行する。一方、ディスプレイ本体２０がユーザーの左側に装着されている場合、処理部１２３は、左チャンネルの音声信号が第１骨伝導スピーカー５０から出力され、右チャンネルの音声信号が第２骨伝導スピーカー５１から出力されるように、チャンネル設定を実行する。
【０１５１】
処理部１２３は、チャンネル設定を示す情報を、ＢＴ通信回路１３０を介して電波により、ヘッドバンド４０に送信する。ここで、チャンネル設定を示す情報とは、例えば、右チャンネルの音声信号が第１骨伝導スピーカー５０に対応しているか否かを示す情報である。
【０１５２】
図１１は、ヘッドバンドの構成を示す機能ブロック図である。ヘッドバンド４０は、処理部４１８ｂと、通信部４２１と、検出スイッチ４０５と、電源制御部４１９と、オーディオコネクター４１３と、第１骨伝導スピーカー５０と、第２骨伝導スピーカー５１と、バッテリー４１４とを備える。ここで、処理部４１８ｂは、第１実施形態における処理部４１８ａに対応する。
【０１５３】
通信部４２１は、電波により受信した音声信号を、処理部４１８ｂに出力する。ここで、通信部４２１は、ディスプレイ本体２０のＢＴ通信回路１３０（図８を参照）に対して、Ｂｌｕｅｔｏｏｔｈ（登録商標）通信を実行する。また、通信部４２１は、ディスプレイ本体２０のＷｉＦｉ通信回路１３１（図８を参照）に対して、無線ＬＡＮ通信（ＩＥＥＥ ８０２．１１）を実行してもよい。
【０１５４】
処理部４１８ｂは、ソフトウェア処理を実行するプロセッサ、又は、デジタル処理を実行するデジタル回路（ハードウェア）のいずれでもよい。本実施形態では、処理部４１８ｂは、一例として、ソフトウェア処理を実行するプロセッサであるものとして説明を続ける。
【０１５５】
処理部４１８ｂには、右チャンネルの音声信号と、左チャンネルの音声信号と、チャンネル設定を示す情報とが、通信部４２１から入力される。右チャンネルの音声信号が第１骨伝導スピーカー５０に対応していることを、チャンネル設定を示す情報が示している場合、処理部４１８ａは、右チャンネルの音声を第１骨伝導スピーカー５０から出力させ、左チャンネルの音声を第２骨伝導スピーカー５１から出力させる。一方、右チャンネルの音声信号が第１骨伝導スピーカー５０に対応していることを、チャンネル設定を示す情報が示していない場合、処理部４１８ａは、左チャンネルの音声を第１骨伝導スピーカー５０から出力させ、右チャンネルの音声を第２骨伝導スピーカー５１から出力させる。
【０１５６】
図１２は、ディスプレイ本体とヘッドバンドとの通信処理を示すフローチャートである。
（ステップＳａ１）ディスプレイ本体２０の処理部１２３は、ディスプレイ本体２０がヘッドバンド４０に支持されているか否かを、ヘッドバンドセンサー１５１（図８を参照）による検出結果に基づいて判定する。ディスプレイ本体２０がヘッドバンド４０に支持されていない場合（ステップＳａ１：Ｎｏ）、処理部１２３は、処理を終了させる。一方、ディスプレイ本体２０がヘッドバンド４０に支持されている場合（ステップＳａ１：Ｙｅｓ）、処理部１２３は、ステップＳａ２に処理を進める。
【０１５７】
（ステップＳａ２）ヘッドバンド４０の検出スイッチ４０５（図６及び図９を参照）は、ホルダー４２に装置本体部２１が支持されているか否かを示す信号を、電源制御部４１９（図９を参照）に出力する。電源制御部４１９は、ホルダー４２に装置本体部２１が支持されている場合、バッテリー４１４（図９を参照）からの電力を、処理部４１８ｂなど各部に供給する。
ディスプレイ本体２０の処理部１２３は、ヘッドバンド４０との電波による所定の通信処理（例えば、ネゴシエーション処理）を開始する。
【０１５８】
（ステップＳａ３）処理部１２３は、耳元スピーカー２３を消音モードにする。
（ステップＳａ４）処理部１２３は、ホルダー４２に支持されたディスプレイ本体２０の向き、すなわち、ディスプレイ本体２０がユーザー右側に装着されているか否かを、加速度情報に基づいて判定する。また、処理部１２３は、ホルダー４２に支持されたディスプレイ本体２０の向きに応じて、第１骨伝導スピーカー５０と、第２骨伝導スピーカー５１との出力チャンネルを切り替える。
【０１５９】
（ステップＳａ５）処理部１２３は、エンコーダー１２９を介して供給された右チャンネルの音声信号及び左チャンネルの音声信号と、チャンネル設定を示す情報とを、ＢＴ通信回路１３０、ＷｉＦｉ通信回路１３１、及び３Ｇ／ＬＴＥ通信回路１３８の少なくとも一つを介して、ヘッドバンド４０に送信する。通信部４２１は、電波により受信した音声信号を、処理部４１８ｂに出力する。処理部４１８ａは、チャンネル設定を示す情報に基づいて、第１骨伝導スピーカー５０及び第２骨伝導スピーカー５１から、音声をそれぞれ出力させる。
【０１６０】
以上のように、頭部装着型情報入出力装置（ヘッドマウントディスプレイ１）は、画像を表示する表示パネル６３と、音声信号を送信する送信部（例えば、ＢＴ通信回路１３０、ＷｉＦｉ通信回路１３１、及び３Ｇ／ＬＴＥ通信回路１３８）と、を有するディスプレイ本体２０と、前記送信部から送信された前記音声信号を受信する通信部４２１と、ディスプレイ本体２０を着脱可能に支持するホルダー４２と、ホルダー４２にディスプレイ本体２０が支持されている場合、ユーザーの頭部の近傍に配置され、上受光部４０１及び下受光部４０２に受信された前記音声信号に基づいて音声を出力する第１骨伝導スピーカー５０及び第２骨伝導スピーカー５１と、を有するヘッドバンド４０と、を備える。
この構成により、ホルダー４２は、ディスプレイ本体２０を着脱可能に支持する。これにより、頭部装着型情報入出力装置（ヘッドマウントディスプレイ１）は、利便性を向上させることができる。
【０１６１】
また、ＢＴ通信回路１３０、ＷｉＦｉ通信回路１３１、及び３Ｇ／ＬＴＥ通信回路１３８は、電波により前記音声信号を送信する。映像信号の情報量よりも音声信号の情報量が少ないので、これらの通信回路は、映像信号を送信する場合と比較して少ない処理能力でも、音声信号を十分に送信することができる。
【０１６２】
以上、この発明の実施形態について図面を参照して詳述してきたが、具体的な構成はこの実施形態に限られるものではなく、この発明の要旨を逸脱しない範囲の設計等も含まれる。
【０１６３】
例えば、ヘッドバンド４０が備えるスピーカーは、骨伝導スピーカーに限らず、多種多様なスピーカーでもよい。
また、例えば、ヘッドマウントディスプレイ１が、電子メールを送受信及び表示する処理を実行し、メールの着信等をユーザーに通知してもよい。
【０１６４】
また、上記に説明した頭部装着型情報入出力装置を実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【０１６５】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリー等の書き込み可能な不揮発性メモリー、ＣＤ−ＲＯＭ等の可搬媒体、コンピュータシステムに内蔵されるハードディスク等の記憶装置のことをいう。
【０１６６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリー（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【０１６７】
１…ヘッドマウントディスプレイ、２０…ディスプレイ本体、２１…装置本体部、２１Ａ…筐体（装置本体部）、２３…耳元スピーカー、２４…集音マイク、２５…ＵＳＢコネクター、２７…ビデオコネクター、２８…メインスイッチ、２９…回路基板、３０…操作スイッチ、３１…連結孔、３３…バッテリー、３４…タッチスイッチ、３５…バックライト（本体）、３６…表示パネル（本体）、３７…通話マイク、４０…ヘッドバンド（装着部）、４１…ピン、４１ｂ…球状部、４１ｃ…貫通孔、４２…ホルダー（支持部）、４２ａ…収容部、４２ｂ…爪、４３…第１ヘッドバンド、４３ａ…ジョイント部、４３ｂ…軸受部、４３ｃ…軸受部、４３ｄ…軸受部、４３ｅ…軸受部、４４…第２ヘッドバンド、４６…ヘッドパット、４６ａ…支持板、４６ｂ…弾性部材、４７…ヘッドパット、４８…バネ部材、４９…標章表示部、５０…第１骨伝導スピーカー、５１…第２骨伝導スピーカー、５６…回動機構、５７…回動機構、６０…表示部、６１…ディスプレイヒンジ、６２…バックライト（表示部）、６３…表示パネル（表示部）、６４…カメラ、６５…プリズム、６６…反射ミラー、６７…ファインダー開口部、６８…前方ライト、７０…前方スピーカー、７１…結像レンズ、７２…撮像素子（撮像部）、７３…レーザー発振器、１００…ステレオイヤホン、１０１…オーディオコネクター、１０２…ケーブル、１０３…第１スピーカー、１０４…第２スピーカー、１０６…クリップ、１２０…電源回路、１２１…デコーダー、１２２…フラッシュメモリー、１２３…処理部、１２５…ＬＣＤドライバ、１２６…ＢＬドライバ、１２７…メモリー、１２８…メインスイッチ、１２９…エンコーダー、１３０…ＢＴ通信回路、１３１…ＷｉＦｉ通信回路、１３２…加速度センサー、１３３…地磁気センサー、１３４…角速度センサー、１３５…ＧＰＳセンサー、１３６…温湿度センサー、１３７…心拍数センサー、１３８…３Ｇ／ＬＴＥ通信回路、１５１…ヘッドバンドセンサー、１６２…スピーカーアンプ、１６４…バイブレーター（振動部）、３０１…右音声ＬＥＤ、３０２…左音声ＬＥＤ、３０４…導光板、３０５…導光板、４０１…上受光部、４０２…下受光部、４０５…検出スイッチ、４０６…回路基板、４１０…コイル、４１１…永久磁石、４１２…回路基板、４１３…オーディオコネクター、４１４…バッテリー（電源部）、４１５…ケーブル、４１６…振動板、４１８ａ及び４１８ｂ…処理部、４１９…電源制御部、４２１…通信部（受信部）
【図１】
2013239767.tif 000003
【図２】
2013239767.tif 000004
【図３】
2013239767.tif 000005
【図４】
2013239767.tif 000006
【図５】
2013239767.tif 000007
【図６】
2013239767.tif 000008
【図７】
2013239767.tif 000009
【図８】
2013239767.tif 000010
【図９】
2013239767.tif 000011
【図１０】
2013239767.tif 000012
【図１１】
2013239767.tif 000013
【図１２】
2013239767.tif 000014